(57)【特許請求の範囲】
【請求項１】
印刷シートの種類を判別する判別手段と、使用者に対し報知すべき事象が生じた際に当該使用者にその事象を報知する報知手段とを備え、前記使用者によって使用する印刷シートの種類が設定される印刷装置において、
前記判別手段は、
印刷シートに向けて光を発する発光部と、前記光の印刷シートによる反射光のうち主として正反射成分を受光する正反射受光部と、前記反射光の拡散反射成分を受光する拡散反射受光部とを備え、
前記正反射受光部にて受光された正反射光量及び前記拡散反射受光部にて受光された拡散反射光量に基づいて印刷シートの種類を大別し、前記正反射光量及び前記拡散反射光量に基づく大別によって前記印刷シートの種類が特定される場合、その特定の印刷シートとして印刷シートの種類を判断し、
前記正反射光量及び前記拡散反射光量に基づく大別では前記印刷シートの種類が特定されない場合、前記印刷シートの種類を大別した後に、前記正反射受光部にて受光された正反射光量に基づいて印刷シートの厚さを判別し、前記正反射光量に基づく前記印刷シートの厚さの判別によって前記印刷シートの種類が特定される場合、その特定の印刷シートとして印刷シートの種類を判断し、
前記印刷シートの厚さの判別によって前記印刷シートの種類が特定されない場合、前記印刷シートの厚さを判別した後に、前記正反射受光部にて受光された正反射光量及び前記拡散反射受光部にて受光された拡散反射光量に基づいて、印刷シートの種類を細別して印刷シートの種類を判断し、
使用者が設定した印刷シートの種類と、前記判別手段によって判別された印刷シートの種類とが相違する場合に、前記報知手段によってこの事象、及び、該事象に対する対処方法として、前記印刷シートを交換すること、判別した印刷シートに適した印刷を実行すること、印刷を中止すること、が可能である旨を報知する
ことを特徴とする印刷装置。
【請求項２】
請求項１に記載の印刷装置において、
前記各対処方法は、一度に報知されることを特徴とする印刷装置。
【請求項３】
請求項１又は請求項２に記載の印刷装置において、
前記各対処方法を、使用者が選択するための選択手段が備えられていることを特徴とする印刷装置。
【請求項４】
請求項３に記載の印刷装置において、
前記対処方法として、前記印刷シートを交換することが選択された場合には、設定された印刷シートの種類と、当該印刷シートに交換することを促す旨が報知されることを特徴とする印刷装置。
【請求項５】
請求項１乃至請求項４のいずれかに記載の印刷装置において、
前記判別手段は、前記拡散反射受光部の受光量を用いた表面光沢度に応じた前記印刷シートの種類と、前記正反射受光部の受光量を用いた厚さに応じた前記印刷シートの種類とを判別することを特徴とする印刷装置。
【請求項６】
請求項１乃至請求項５に記載の印刷装置において、
前記報知手段は、前記事象を前記印刷装置に備えられた表示部に表示することを特徴とする印刷装置。
【請求項７】
請求項１乃至請求項５に記載の印刷装置において、
前記報知手段は、前記事象を前記印刷装置が接続されたコンピュータの表示部に表示することを特徴とする印刷装置。
【請求項８】
請求項１乃至請求項７のいずれかに記載の印刷装置において、
前記報知に基づいて、使用者が印刷を取り止めた場合には、判別した記録シートを排出することを特徴とする印刷装置。
【請求項９】
請求項１乃至請求項８のいずれかに記載の印刷装置において、
印刷シートの交換検知手段を有し、前記報知に基づいて、使用者が印刷シートを交換したことを前記交換検知手段によって検知した場合には、交換された印刷シートに対し印刷シートの種類を前記判別手段によって判別することを特徴とする印刷装置。
【請求項１０】
請求項１乃至請求項９のいずれかに記載の印刷装置において、
前記報知後に、印刷を継続する旨の指令信号が入力された場合には、判別された印刷シートの種類に適した印刷を実行することを特徴とする印刷装置。
【請求項１１】
（１）印刷シートの種類を判別する判別手段と、使用者に対し報知すべき事象が生じた際に当該使用者にその事象を報知する報知手段とを備え、前記使用者によって使用する印刷シートの種類が設定される印刷装置において、
前記判別手段は、
印刷シートに向けて光を発する発光部と、前記光の印刷シートによる反射光のうち主として正反射成分を受光する正反射受光部と、前記反射光の拡散反射成分を受光する拡散反射受光部とを備え、
前記正反射受光部にて受光された正反射光量及び前記拡散反射受光部にて受光された拡散反射光量に基づいて印刷シートの種類を大別し、前記正反射光量及び前記拡散反射光量に基づく大別によって前記印刷シートの種類が特定される場合、その特定の印刷シートとして印刷シートの種類を判断し、
前記正反射光量及び前記拡散反射光量に基づく大別では前記印刷シートの種類が特定されない場合、前記印刷シートの種類を大別した後に、前記正反射受光部にて受光された正反射光量に基づいて印刷シートの厚さを判別し、前記正反射光量に基づく前記印刷シートの厚さの判別によって前記印刷シートの種類が特定される場合、その特定の印刷シートとして印刷シートの種類を判断し、
前記印刷シートの厚さの判別によって前記印刷シートの種類が特定されない場合、前記印刷シートの厚さを判別した後に、前記正反射受光部にて受光された正反射光量及び前記拡散反射受光部にて受光された拡散反射光量に基づいて、印刷シートの種類を細別して印刷シートの種類を判断し、
使用者が設定した印刷シートの種類と、前記判別手段によって判別された印刷シートの種類とが相違する場合に、前記報知手段によってこの事象、及び、該事象に対する対処方法として、前記印刷シートを交換すること、判別した印刷シートに適した印刷を実行すること、印刷を中止すること、が可能である旨を報知し、
（２）前記各対処方法は、一度に報知され、
（３）前記各対処方法を、使用者が選択するための選択手段が備えられており、
（４）前記対処方法として、前記印刷シートを交換することが選択された場合には、設定された印刷シートの種類と、当該印刷シートに交換することを促す旨が報知され、
（５）前記判別手段は、前記拡散反射受光部の受光量を用いた表面光沢度に応じた前記印刷シートの種類と、前記正反射受光部の受光量を用いた厚さに応じた前記印刷シートの種類とを判別し、
（６）前記報知手段は、前記事象を前記印刷装置が接続されたコンピュータの表示部に表示し、
（７）前記報知に基づいて、使用者が印刷を取り止めた場合には、判別した記録シートを排出し、
（８）印刷シートの交換検知手段を有し、前記報知に基づいて、使用者が印刷シートを交換したことを前記交換検知手段によって検知した場合には、交換された印刷シートに対し印刷シートの種類を前記判別手段によって判別し、
（９）前記報知後に、印刷を継続する旨の指令信号が入力された場合には、判別された印刷シートの種類に適した印刷を実行する
ことを特徴とする印刷装置。
【請求項１２】
印刷シートに向けて光を発する発光部、前記光の印刷シートによる反射光のうち主として正反射成分を受光する正反射受光部、及び、前記反射光の拡散反射成分を受光する拡散反射受光部を有する判別手段であって、印刷シートの種類を判別する判別手段と、使用者に対し報知すべき事象が生じた際に当該使用者にその事象を報知する報知手段とを備え、前記使用者によって使用する印刷シートの種類が設定される印刷装置において実行されるコンピュータプログラムであって、
前記正反射受光部にて受光された正反射光量及び前記拡散反射受光部にて受光された拡散反射光量に基づいて印刷シートの種類を大別し、前記正反射光量及び前記拡散反射光量に基づく大別によって前記印刷シートの種類が特定される場合、その特定の印刷シートとして印刷シートの種類を判断する機能と、
前記正反射光量及び前記拡散反射光量に基づく大別では前記印刷シートの種類が特定されない場合、前記印刷シートの種類を大別した後に、前記正反射受光部にて受光された正反射光量に基づいて印刷シートの厚さを判別し、前記正反射光量に基づく前記印刷シートの厚さの判別によって前記印刷シートの種類が特定される場合、その特定の印刷シートとして印刷シートの種類を判断する機能と、
前記印刷シートの厚さの判別によって前記印刷シートの種類が特定されない場合、前記印刷シートの厚さを判別した後に、前記正反射受光部にて受光された正反射光量及び前記拡散反射受光部にて受光された拡散反射光量に基づいて、印刷シートの種類を細別して印刷シートの種類を判断する機能と、
使用者が設定した印刷シートの種類と、前記判別手段によって判別された印刷シートの種類とが相違する場合に、前記報知手段によってこの事象、及び、該事象に対する対処方法として、前記印刷シートを交換すること、判別した印刷シートに適した印刷を実行すること、印刷を中止すること、が可能である旨を報知する機能と
を前記印刷装置に実現させるためのコンピュータプログラム。
【請求項１３】
コンピュータ本体、このコンピュータ本体に接続される表示装置、及び、印刷シートの種類を判別する判別手段と、使用者に対し報知すべき事象が生じた際に当該使用者にその事象を報知する報知手段とを備え、前記使用者によって使用する印刷シートの種類が設定される印刷装置を有するコンピュータシステムにおいて、
前記判別手段は、
印刷シートに向けて光を発する発光部と、前記光の印刷シートによる反射光のうち主として正反射成分を受光する正反射受光部と、前記反射光の拡散反射成分を受光する拡散反射受光部とを備え、
前記正反射受光部にて受光された正反射光量及び前記拡散反射受光部にて受光された拡散反射光量に基づいて印刷シートの種類を大別し、前記正反射光量及び前記拡散反射光量に基づく大別によって前記印刷シートの種類が特定される場合、その特定の印刷シートとして印刷シートの種類を判断し、
前記正反射光量及び前記拡散反射光量に基づく大別では前記印刷シートの種類が特定されない場合、前記印刷シートの種類を大別した後に、前記正反射受光部にて受光された正反射光量に基づいて印刷シートの厚さを判別し、前記正反射光量に基づく前記印刷シートの厚さの判別によって前記印刷シートの種類が特定される場合、その特定の印刷シートとして印刷シートの種類を判断し、
前記印刷シートの厚さの判別によって前記印刷シートの種類が特定されない場合、前記印刷シートの厚さを判別した後に、前記正反射受光部にて受光された正反射光量及び前記拡散反射受光部にて受光された拡散反射光量に基づいて、印刷シートの種類を細別して印刷シートの種類を判断し、
使用者が設定した印刷シートの種類と、前記判別手段によって判別された印刷シートの種類とが相違する場合に、前記報知手段によってこの事象、及び、該事象に対する対処方法として、前記印刷シートを交換すること、判別した印刷シートに適した印刷を実行すること、印刷を中止すること、が可能である旨を報知することを特徴とするコンピュータシステム。
【請求項１４】
印刷シートに向けて光を発する発光部、前記光の印刷シートによる反射光のうち主として正反射成分を受光する正反射受光部、及び、前記反射光の拡散反射成分を受光する拡散反射受光部を有する判別手段であって、印刷シートの種類を判別する判別手段と、使用者に対し報知すべき事象が生じた際に当該使用者にその事象を報知する報知手段とを備え、前記使用者によって使用する印刷シートの種類が設定される印刷装置を用いた印刷方法において、
前記正反射受光部にて受光された正反射光量及び前記拡散反射受光部にて受光された拡散反射光量に基づいて印刷シートの種類を大別し、前記正反射光量及び前記拡散反射光量に基づく大別によって前記印刷シートの種類が特定される場合、その特定の印刷シートとして印刷シートの種類を判断するステップと、
前記正反射光量及び前記拡散反射光量に基づく大別では前記印刷シートの種類が特定されない場合、前記印刷シートの種類を大別した後に、前記正反射受光部にて受光された正反射光量に基づいて印刷シートの厚さを判別し、前記正反射光量に基づく前記印刷シートの厚さの判別によって前記印刷シートの種類が特定される場合、その特定の印刷シートとして印刷シートの種類を判断するステップと、
前記印刷シートの厚さの判別によって前記印刷シートの種類が特定されない場合、前記印刷シートの厚さを判別した後に、前記正反射受光部にて受光された正反射光量及び前記拡散反射受光部にて受光された拡散反射光量に基づいて、印刷シートの種類を細別して印刷シートの種類を判断するステップと、
使用者が設定した印刷シートの種類と、前記判別手段によって判別された印刷シートの種類とを比較するステップと、
比較した結果が相違する場合に、前記報知手段によりこの事象、及び、該事象に対する対処方法として、前記印刷シートを交換すること、判別した印刷シートに適した印刷を実行すること、印刷を中止すること、が可能である旨を報知するステップと
を有することを特徴とする印刷方法。
【発明の詳細な説明】
【０００１】
【発明の属する技術分野】
本発明は、印刷装置、コンピュータプログラム、コンピュータシステム、及び、印刷方法に関する。
【０００２】
【背景技術】
インクジェットプリンタ等の印刷装置に用いられる印刷シートは様々なメーカーから様々な種類の印刷シートが提供されている。このような印刷シートのうち、いずれの印刷シートを用いて印刷するかは、使用者に委ねられることになる。また、最近では、印刷装置にセットされた印刷シートの種類を判別する判別装置を備え、判別された印刷シートの種類に応じて印刷する印刷装置が提供されている。
【０００３】
【発明が解決しようとする課題】
しかしながら、たとえば、画質を厭わない文書データを印刷する際に、同じ印刷装置にて前回画像を印刷した際に用いた高画質が得られるように表面処理された光沢紙等の高価な印刷シートがセットされていた場合には、セットされている印刷シートの種類を使用者が確認せずに印刷を行うと、文書データであるにもかかわらず、高価な光沢紙に印刷されてしまい、高価な印刷シートを無駄に消費してしまうという課題があった。
【０００４】
また、使用者が写真画像などの高画質画像を印刷するために、光沢紙等の表面処理された印刷シートを指定して印刷を実行した場合であっても、印刷装置には、普通紙等がセットされており、所望の高画質画像が得られず、インクや印刷シート、さらには時間をも浪費してしまうという課題があった。
【０００５】
本発明は、かかる課題に鑑みてなされたものであり、その目的とするところは、使用者が指定した印刷シートと、印刷装置にセットされた印刷シートとの不一致による印刷シート、インク、及び時間の浪費を防止する印刷装置、この印刷装置に印刷させるコンピュータプログラム、この印刷装置を有するコンピュータシステム、及び、印刷方法を実現することにある。
【０００６】
【課題を解決するための手段】
主たる本発明は、印刷シートの種類を判別する判別手段と、使用者に対し報知すべき事象が生じた際に当該使用者にその事象を報知する報知手段とを備え、前記使用者によって使用する印刷シートの種類が設定される印刷装置において、前記判別手段は、印刷シートに向けて光を発する発光部と、前記光の印刷シートによる反射光のうち主として正反射成分を受光する正反射受光部と、前記反射光の拡散反射成分を受光する拡散反射受光部とを備え、前記正反射受光部にて受光された正反射光量及び前記拡散反射受光部にて受光された拡散反射光量に基づいて印刷シートの種類を大別し、前記正反射光量及び前記拡散反射光量に基づく大別によって前記印刷シートの種類が特定される場合、その特定の印刷シートとして印刷シートの種類を判断し、前記正反射光量及び前記拡散反射光量に基づく大別では前記印刷シートの種類が特定されない場合、前記印刷シートの種類を大別した後に、前記正反射受光部にて受光された正反射光量に基づいて印刷シートの厚さを判別し、前記正反射光量に基づく前記印刷シートの厚さの判別によって前記印刷シートの種類が特定される場合、その特定の印刷シートとして印刷シートの種類を判断し、前記印刷シートの厚さの判別によって前記印刷シートの種類が特定されない場合、前記印刷シートの厚さを判別した後に、前記正反射受光部にて受光された正反射光量及び前記拡散反射受光部にて受光された拡散反射光量に基づいて、印刷シートの種類を細別して印刷シートの種類を判断し、使用者が設定した印刷シートの種類と、前記判別手段によって判別された印刷シートの種類とが相違する場合に、前記報知手段によってこの事象、及び、該事象に対する対処方法として、前記印刷シートを交換すること、判別した印刷シートに適した印刷を実行すること、印刷を中止すること、が可能である旨を報知することを特徴とする印刷装置である。
本発明の他の特徴については、添付図面及び以下の記載により明らかにする。
【０００７】
【発明の実施の形態】
＝＝＝開示の概要＝＝＝
本明細書における発明の詳細な説明の項の記載により、少なくとも次のことが明らかにされる。
【０００８】
印刷シートの種類を判別する判別手段と、使用者に対し報知すべき事象が生じた際に当該使用者にその事象を報知する報知手段とを備え、前記使用者によって使用する印刷シートの種類が設定される印刷装置において、使用者が設定した印刷シートの種類と、前記判別手段によって判別された印刷シートの種類とが相違する場合に、前記報知手段によってこの事象、及び、該事象に対する対処方法として、前記印刷シートを交換すること、判別した印刷シートに適した印刷を実行すること、印刷を中止すること、が可能である旨を報知することを特徴とする印刷装置である。
このような印刷装置によれば、使用者が設定した印刷シートの種類と、前記判別手段によって判別された印刷シートの種類とが相違する場合には、その事象と共に、その対処方法をも使用者に報知することが可能となる。
【０００９】
かかる印刷装置において、前記各対処方法は、一度に報知されることが望ましい。
このような印刷装置によれば、使用者は報知された情報から、対処可能な対処方法を一度に知り得ることが可能となる。
【００１０】
かかる印刷装置において、前記各対処方法を、使用者が選択するための選択手段が備えられているが望ましい。
このような印刷装置によれば、対処方法を使用者に報知すると共に、その選択手段も同時に提供することが可能となる。
【００１１】
かかる印刷装置において、前記対処方法として、前記印刷シートを交換することが選択された場合には、設定された印刷シートの種類と、当該印刷シートに交換することを促す旨が報知されることが望ましい。
このような印刷装置によれば、印刷シートを交換することを選択するだけで、交換すべき印刷シートの種類を知り得ることが可能となり、使用者は印刷シートの交換操作をスムーズに行うことが可能となる。
【００１２】
かかる印刷装置において、前記判別手段は、印刷シートに向けて光を発する発光部と、前記光の印刷シートによる反射光のうち主として正反射成分を受光する正反射受光部と、前記反射光の拡散反射成分を受光する拡散反射受光部とを備え、前記拡散反射受光部の受光量を用いた表面光沢度に応じた前記印刷シートの種類と、前記正反射受光部の受光量を用いた厚さに応じた前記印刷シートの種類とを判別することが望ましい。
このような印刷装置によれば、前記印刷シートの種類の相違として印刷シートの光沢度及び厚さの相違を使用者に報知することが可能となる。
【００１３】
さらに、かかる印刷装置において、前記報知手段は、前記事象を前記印刷装置に備えられた表示部に表示することとしてもよい。
このような印刷装置によれば、印刷シートの種類の相違を表示部に表示することにより、使用者にその事象を明確に報知することが可能となる。
【００１４】
さらに、かかる印刷装置において、前記報知手段は、前記事象を前記印刷装置が接続されたコンピュータの表示部に表示することとしてもよい。
このような印刷装置によれば、印刷装置に特段の報知手段を備えることなく印刷シートの種類の相違を使用者に報知することが可能となる。
【００１５】
さらに、かかる印刷装置において、前記報知に基づいて、使用者が印刷を取り止めた場合には、判別した記録シートを排出することが望ましい。
このような印刷装置によれば、何ら特段の操作をすることなく、印刷に使用しない印刷シートが排出されるので、本来使用すべき印刷シートを即座にセットすることが可能となる。
【００１６】
さらに、かかる印刷装置において、印刷シートの交換検知手段を有し、前記報知に基づいて、使用者が印刷シートを交換したことを前記交換検知手段によって検知した場合には、交換された印刷シートに対し印刷シートの種類を前記判別手段によって判別することが望ましい。
このような印刷装置によれば、印刷シートが交換された後に、前記判別手段によって交換された印刷シートの種類を判別するので、その判別結果が、使用者が設定した印刷シートの種類と相違する場合には再び使用者にその事象を報知することが可能となる。
【００１７】
さらに、かかる印刷装置において、前記報知後に、印刷を継続する旨の指令信号が入力された場合には、判別された印刷シートの種類に適した印刷を実行することが望ましい。
このような、印刷装置によれば、使用者が設定した印刷シートの種類と、前記判別手段によって交換された印刷シートの種類とが相違する場合であっても、使用者の意志を確認した上で、判別された印刷シートの種類に適した印刷を実行することが可能となる。
【００１８】
また、印刷シートの種類を判別する判別手段と、使用者に対し報知すべき事象が生じた際に当該使用者にその事象を報知する報知手段と、印刷シートの交換検知手段を備え、前記使用者によって使用する印刷シートの種類が設定される印刷装置において、使用者が設定した印刷シートの種類と、前記判別手段によって判別された印刷シートの種類とが相違する場合には、この事象、及び、該事象に対する対処方法として、前記印刷シートを交換すること、判別した印刷シートに適した印刷を実行すること、印刷を中止すること、が可能である旨を一度に報知し、前記報知は、使用者が前記対処方法を選択可能な選択手段を有し、前記対処方法として、前記印刷シートを交換することが選択された場合には、設定された印刷シートの種類と、当該印刷シートに差し替えることを促す旨が報知され、前記判別手段は、印刷シートに向けて光を発する発光部と、前記光の印刷シートによる反射光のうち主として正反射成分を受光する正反射受光部と、前記反射光の拡散反射成分を受光する拡散反射受光部とを備え、前記拡散反射受光部の受光量を用いた表面光沢度に応じた前記印刷シートの種類と、前記正反射受光部の受光量を用いた厚さに応じた前記印刷シートの種類とを判別し、前記報知手段は、前記印刷装置が接続されたコンピュータの表示部に表示される画面情報であり、前記報知に基づいて、使用者が印刷を取り止めた場合には、判別した記録シートを排出し、印刷シートの交換検知手段を有し、前記報知に基づいて、使用者が印刷シートを交換したことを前記交換検知手段によって検知した場合には、交換された印刷シートに対し印刷シートの種類を前記判別手段によって判別し、前記報知後に、印刷を継続する旨の指令信号が入力された場合には、判別された印刷シートの種類に適した印刷を実行することを特徴とする印刷装置である。
【００１９】
このような印刷装置によれば、使用者が指定した印刷シートと、印刷装置にセットされた印刷シートとの不一致による印刷シート、インク、及び時間の浪費を防止することが可能となり、使用者は、希望する印刷シートに所望の印刷を行うことが可能となる。
【００２０】
また、印刷シートの種類を判別する判別手段と、使用者に対し報知すべき事象が生じた際に当該使用者にその事象を報知する報知手段とを備え、前記使用者によって使用する印刷シートの種類が設定される印刷装置において、使用者が設定した印刷シートの種類と、前記判別手段によって判別された印刷シートの種類とが相違する場合に、前記報知手段によってこの事象、及び、該事象に対する対処方法として、前記印刷シートを交換すること、判別した印刷シートに適した印刷を実行すること、印刷を中止すること、が可能である旨を報知する機能を実現させるためのコンピュータプログラムも実現可能となる。
【００２１】
また、コンピュータ本体、このコンピュータ本体に接続される表示装置、及び、印刷シートの種類を判別する判別手段と、使用者に対し報知すべき事象が生じた際に当該使用者にその事象を報知する報知手段とを備え、前記使用者によって使用する印刷シートの種類が設定される印刷装置を有するコンピュータシステムにおいて、使用者が設定した印刷シートの種類と、前記判別手段によって判別された印刷シートの種類とが相違する場合に、前記報知手段によってこの事象、及び、該事象に対する対処方法として、前記印刷シートを交換すること、判別した印刷シートに適した印刷を実行すること、印刷を中止すること、が可能である旨を報知することを特徴とするコンピュータシステムも実現可能となる。
【００２２】
また、印刷シートの種類を判別する判別手段と、使用者に対し報知すべき事象が生じた際に当該使用者にその事象を報知する報知手段とを備え、前記使用者によって使用する印刷シートの種類が設定される印刷装置を用いた印刷方法において、使用者が設定した印刷シートの種類と、前記判別手段によって判別された印刷シートの種類とを比較するステップと、比較した結果が相違する場合に、前記報知手段によりこの事象、及び、該事象に対する対処方法として、前記印刷シートを交換すること、判別した印刷シートに適した印刷を実行すること、印刷を中止すること、が可能である旨を報知するステップとを有することを特徴とする印刷方法である。
【００２３】
このような印刷方法によれば、使用者が設定した印刷シートの種類と、前記判別手段によって判別された印刷シートの種類とが相違する場合には、その事象と共に、その対処方法をも使用者に報知することが可能となる。
【００２４】
＝＝＝印刷装置の概略構成＝＝＝
まず、図１を参照して本実施の形態に係る印刷装置の主として外部の概略構成について説明する。図１は本実施の形態に係る印刷装置の概略構成を示した図である。
図１には、印刷装置の一例としてのカラープリンタＣＰを示した。なお、このカラープリンタＣＰは、印刷装置本体としてのプリンタ本体１０と、このプリンタ本体１０に取り外し可能に装着されたロール紙ユニット２４とを有している。
【００２５】
カラープリンタＣＰは、カラー画像の出力が可能なプリンタであり、例えば、シアン（Ｃ）、マゼンタ（Ｍ）、イエロ（Ｙ）、ブラック（Ｋ）の４色の色インクを、ロール紙を始めとする被印刷体上に吐出してドットを形成することによって画像を形成するインクジェット方式のプリンタである。なお、色インクとして、上記４色に加えて、ライトシアン（薄いシアン、ＬＣ）、ライトマゼンタ（薄いマゼンタ、ＬＭ）、ダークイエロ（暗いイエロ、ＤＹ）を用いてもよい。
【００２６】
図１に示すように、カラープリンタＣＰは、背面から供給された印刷用紙等の被印刷体を前面から排出する構造を備えており、プリンタ本体１０の前面には操作パネル１１、排紙部１２が備えられており、内部には、例えば印刷ヘッドの位置検知センサ、印刷シートの交換検知手段を兼ねる紙検知センサ７６（図３）、などのカラープリンタＣＰの状態を検出するための各種センサ（図示せず）、及び、使用者への報知手段をなすブザー７０（図３）が備えられ、背面には給紙部１３が備えられている。操作パネル１１には、各種操作ボタン１１１、使用者に各種情報を報知するための表示ランプ１１２及び表示ディスプレイ１１３が設けられている。排紙部１２は、不使用時に排紙口を塞ぐ排紙トレー１２１が備えられている。給紙部１３には、カット紙（図示しない）を保持する給紙ホルダ１３１、ロール紙ユニット２４を保持するロール紙ユニットホルダ２０、２１が備えられている。この給紙ホルダ１３１には、印刷シートとして、マット紙、普通紙、光沢紙、ＯＨＰ用シートなど、印刷可能な様々な材質や表面状態を有するシート部材や、様々な厚さを有する印刷シートをセットして給紙することが可能である。また、ロール紙ユニット２４にあっても、印刷可能な様々な材質や表面状態を有するシート部材や、様々な厚さを有するシート部材が芯材に巻き付けられてこの給紙部１３から供給される。
【００２７】
＝＝＝カラープリンタＣＰの内部構成＝＝＝
次に、図２を参照してカラープリンタＣＰの内部構成について説明する。図２は本実施の形態に係るカラープリンタＣＰの内部構成を示した図である。
【００２８】
カラープリンタＣＰは、図示するように、キャリッジ２８に搭載された印刷ヘッドＩＨ１〜ＩＨ４を駆動してインクの吐出及びドット形成を行う機構と、このキャリッジ２８をキャリッジモータ３０によってプラテン４２の軸方向に往復動させる機構と、紙送りモータ３１によってロール紙ユニット２４から供給される印刷用ロール紙３２を搬送する機構と、制御回路５０とを有している。
【００２９】
キャリッジ２８をプラテン４２の軸方向に往復動させる機構は、プラテン４２の軸と並行に架設され、キャリッジ２８を摺動可能に保持する摺動軸４４と、キャリッジモータ３０との間に無端の駆動ベルト４５を張設するプーリ４６等から構成されている。
【００３０】
ロール紙ユニット２４から供給される印刷用ロール紙３２を搬送する機構は、プラテン４２と、プラテン４２を回転させる紙送りモータ３１と、図示しない給紙補助ローラと、紙送りモータ３１の回転をプラテン４２及び給紙補助ローラに伝えるギヤ機構４８と、プラテン４２の回転角度を検出するエンコーダ４７とを有している。また、ロール紙ユニットホルダ２０に設けられた接点２０１に対向して、プリンタ本体１０に接点１０１が設けられている。
【００３１】
制御回路５０は、プリンタの操作パネル１１や接続されたパーソナルコンピュータから印刷指令信号が入力されると、紙送りモータ３１やキャリッジモータ３０、印刷ヘッドＩＨ１〜ＩＨ４の動きを適切に制御する。カラープリンタＣＰのロール紙ユニットホルダ２０、２１に保持されたロール紙ユニット２４の印刷用ロール紙３２は、プラテン４２と給紙補助ローラの間に挟み込まれるようにセットされ、プラテン４２の回転角度に応じて所定量だけ送られる。
【００３２】
キャリッジ２８には、多数のノズルを備えた印刷ヘッドＩＨ１〜ＩＨ４と、この印刷ヘッドＩＨ１〜ＩＨ４と一体に設けられたカートリッジ装着部１８が固定され、このカートリッジ装着部１８にインクカートリッジＩＮＣ１とインクカートリッジＩＮＣ２とが装着される。インクカートリッジＩＮＣ２には黒（Ｋ）インクが収容され、インクカートリッジＩＮＣ１には他のインク、すなわち、シアン（Ｃ）、マゼンタ（Ｍ）、イエロ（Ｙ）の３色インクが収容されている。ライトシアン（ＬＣ）、ライトマゼンタ（ＬＭ）、ダークイエロ（ＤＹ）のインクも収容可能であることは既述の通りである。また、キャリッジ２８の主走査方向の側部には、印刷シートの判別装置を構成し、後述する反射型光学センサ２９が搭載されている。
【００３３】
＝＝＝制御回路５０の内部構造＝＝＝
次に図３を参照してカラープリンタＣＰの制御回路５０の内部構成について説明する。図３は本実施の形態に係るカラープリンタＣＰの制御回路５０の内部構成を示したブロック図である。
【００３４】
図３に示すように、制御回路５０の内部には、表示手段としてのディスプレイ９０ａを備えたコンピュータ９０から供給された信号を受信するバッファメモリ５１と、印刷データを格納するイメージバッファ５２と、カラープリンタＣＰ全体の動作を制御するシステムコントローラ５４と、メインメモリ５６と、ＥＥＰＲＯＭ５８とを備えている。システムコントローラ５４には、さらに、キャリッジモータ３０を駆動する主走査駆動回路６１と、紙送りモータ３１を駆動する副走査駆動回路６２と、印刷ヘッドＩＨ１〜ＩＨ４を駆動するヘッド駆動回路６３と、反射型光学センサ２９の発光部３８、正反射受光部４０、拡散反射受光部４１を制御する反射型光学センサ制御回路６５と、使用者への報知手段としての前記表示ランプ１１２、表示ディスプレイ１１３、ブザー７０を制御する報知手段制御回路７２と、紙検知センサ７６を制御する紙検知センサ制御回路７４とが接続されている。また、反射型光学センサ制御回路６５は、正反射受光部４０及び拡散反射受光部４１により受光される反射光から変換される電気信号を測定するための電気信号測定部６６を備えている。さらに、反射型光学センサ制御回路６５は、正反射受光部４０の受光量に基づいて発光部３８から発せられる光の強度を制御することを可能とする発光制御部６４を備えている。
【００３５】
コンピュータ９０から転送された印刷データは、一旦、バッファメモリ５１に蓄えられる。カラープリンタＣＰ内では、システムコントローラ５４が、バッファメモリ５１から印刷データの中から必要な情報を読み取り、これに基づいて、主走査駆動回路６１、副走査駆動回路６２、ヘッド駆動回路６３に対して制御信号を送る。
【００３６】
イメージバッファ５２には、バッファメモリ５１で受信された複数の色成分の印刷データが格納される。ヘッド駆動回路６３は、システムコントローラ５４からの制御信号に従って、イメージバッファ５２から各色成分の印刷データを読出し、これに応じて印刷ヘッドＩＨ１〜ＩＨ４に設けられた各色のノズルアレイを駆動する。
【００３７】
また、制御回路５０は、印刷装置内に設けられた前記各種センサからの出力信号を検知すると、所定の制御手段により設定された処理を実行する。例えば、印刷シート判別手段としての前記反射型光学センサ２９の出力信号に基づいて反射型光学センサ制御回路６５により印刷シートの種類が判別され、判別された印刷シートの種類と、使用者により指定された印刷シートの種類とが相違する場合には、前記表示ランプ１１２、表示ディスプレイ１１３、ブザー７０等の報知手段によりその事象を使用者に報知する処理を実行する。印刷シートの判別方法、及び、使用者への報知等の判別後の処理については後述する。
【００３８】
＝＝＝反射型光学センサの構成例＝＝＝
図４は、反射型光学センサ２９の一例を説明するための模式図である。反射型光学センサ２９はキャリッジ２８に取り付けられ、例えば発光ダイオードから構成される発光部３８と、例えばフォトトランジスタから構成される正反射受光部４０及び拡散反射受光部４１とを有している。
【００３９】
発光部３８が発した光が、印刷シートとしての例えば印刷用紙Ｐに対し所定の角度をなして光を照射するように設定されており、正反射受光部４０は、印刷用紙Ｐに照射された反射光の主に正反射成分が入射される位置に配設されている。ここでは、印刷用紙Ｐとして厚手の光沢用紙がセットされた際に、正反射成分が正反射受光部４０に入射するように反射光路上に設置されている。また、拡散反射受光部４１は、発光部３８と、正反射受光部４０との中間位置、即ち印刷用紙Ｐの照射位置に対して鉛直上に配置され、これら発光部３８と、正反射受光部４０と、拡散反射受光部４１とは副走査方向に並べて配置されている。そして、これら正反射受光部４０と、拡散反射受光部４１とに受光された入射光は、電気信号に変換され、受光した反射光の光量に応じた受光センサの出力値として、電気信号の大きさが測定される。
【００４０】
なお、上記においては、図に示されるように、発光部３８と正反射受光部４０と拡散反射受光部４１とを一体として反射型光学センサ２９とする構成としたが、発光機器と２つの受光機器のように各々別個の機器として構成してもよい。
【００４１】
また、上記においては、受光した反射光の光量を得るために、反射光を電気信号に変換した後に電気信号の大きさを測定することとしたが、これに限定されるものではなく、受光した反射光の光量に応じた受光センサの出力値を測定することができればよい。
【００４２】
＝＝＝＝反射型光学センサによる判別原理＝＝＝
図５に反射型光学センサ２９の発光部３８から照射された光の反射状態を示す図である。
【００４３】
図５（ａ）は、マット紙や普通紙などの表面が粗いマット系の印刷シートに光を照射した場合を示している。発光部３８から発せられた指向性の高い光は、マット紙等に照射されると拡散し、反射光路上に設置された正反射受光部４０に入射する反射光の光量は、照射光より大幅に低減される。このとき、照射位置の鉛直上に設置された拡散反射受光部４１には、上記拡散された反射光が相当量受光される。
【００４４】
一方、光沢紙やＯＨＰ用シート等の表面の平滑度が高い光沢系の印刷シートの場合には、図５（ｂ）に示すように、前記マット系の印刷シートの場合とは逆に、発光部３８から発せられた光の多くが、印刷シートで正反射し正反射受光部４０に入射され、拡散反射受光部４１には、僅かな拡散光が入射されることになる。特に、ＯＨＰ用シートの場合には、拡散反射成分が極めて小さく、拡散反射受光部４１に入射される光の光量はほぼ０となる。図６は、マット紙、普通紙、光沢紙、ＯＨＰ用シートの４種類の印刷シートに対する拡散反射受光部４１の出力を示している。縦軸は、正反射受光部４０の出力に対する拡散反射受光部４１の出力の比であり、横軸は、反射型光学センサ２９と印刷シートとの距離を表している。図示するように、反射型光学センサ２９と印刷シートとの距離が、例えば、図中のＬ点となるように反射型光学センサ２９を配置し、閾値をＡ、Ｂ、Ｃと設定することによって、４種類の印刷シートを判別することが可能となる。
【００４５】
本実施形態の正反射受光部４０は、厚手の光沢紙の正反射光が入射される反射光路上に設置しているので、厚手の光沢系印刷シートがセットされた場合には、受光量が大きくなり、薄手の光沢系印刷シートがセットされた場合には、その印刷シートによる正反射光路上から外れるため、受光量は大幅に小さくなる。したがって、厚手の印刷シートと、薄手の印刷シートとを判別するための厚さ判別閾値は、厚手の印刷シートにより反射する光を正反射受光部４０が受光する受光量と、薄手の印刷シートにより反射する光を正反射受光部４０が受光する受光量との間に設定する。本実施形態では、マット系印刷シートの厚さ判別閾値をＤ、光沢系印刷シートの厚さ判別閾値をＥとする。
【００４６】
＝＝＝印刷シートの判別装置による判別動作＝＝＝
次に、図７を参照して、カラープリンタＣＰを用いた印刷シートの判別動作の一例について説明する。図７は印刷シートの判別方法を示すフローチャートである。
【００４７】
印刷シートの判別は、カラープリンタＣＰによる一連の印刷動作の中で、給紙直後に行われる。カラープリンタＣＰのシステムコントローラ５４は、ユーザの操作によるコンピュータ９０からの印刷指令信号を受信すると、主走査駆動回路６１によりキャリッジモータ３０を駆動し、キャリッジ２８を所定の位置に移動させた後に、副走査駆動回路６２により紙送りモータ３１を駆動し、印刷用ロール紙３２を給紙し所定の位置に搬送して停止させる。このとき、キャリッジ２８は、非印刷領域すなわち、給紙される印刷用ロール紙３２の上方から外れる位置に移動し、キャリッジ２８の側部に設けられた反射型光学センサ２９が、搬送されてプラテン４２上に載置される印刷用ロール紙３２の上方に位置するように移動する。一方、印刷用ロール紙３２の先端は、反射型光学センサ２９の発光部３８からの光が照射される位置を通過して停止し、プラテン４２上に印刷用ロール紙３２が載置された状態になる。
【００４８】
印刷用ロール紙３２がプラテン４２上に配置されると、制御回路５０によって発光部３８から光が発せられる。この光の印刷用ロール紙３２による反射光の拡散成分は拡散反射受光部４１に受光される。制御回路５０では、拡散反射受光部４１の受光量Ｑ１と、正反射受光部４０の受光量Ｑ２とを検出し、図６に示す第１種類判別閾値Ｂと比較する（Ｓ１０１）。このとき、前記種類判別閾値Ｂより前記受光量の比Ｑ１／Ｑ２の方が大きい場合には、マット系の印刷シートと判別され、種類判別閾値Ｂより受光量の比Ｑ１／Ｑ２の方が小さい場合には、光沢系の印刷シートと判別される（Ｓ１０２）。さらに、光沢系の印刷シートと判別された印刷シートに対しては、図６に示す種類判別閾値Ｃと比較し（Ｓ１１４）、受光量の比Ｑ１／Ｑ２が種類判別閾値Ｃより小さく極めて０に近いことが検知された場合には、ＯＨＰ用シートとして判別される（Ｓ１１９）。
【００４９】
光沢系の印刷シートと判別された印刷シートのうち受光量の比Ｑ１／Ｑ２が種類判別閾値Ｃより大きい印刷シートは、正反射受光部４０の受光量Ｑ２と前記厚さ判別閾値Ｅとが比較される（Ｓ１１５）。比較した結果、厚さ判別閾値Ｅより受光量Ｑ２の方が大きい場合には、上述したように厚手の光沢系印刷シートと判別され（Ｓ１１７）、厚さ判別閾値Ｅより受光量Ｑ２の方が小さい場合には、薄手の光沢系印刷シートと判別される（Ｓ１１８）。
【００５０】
また、種類判別閾値Ｂより拡散反射受光部４１の受光量Ｑ１と、正反射受光部４０の受光量Ｑ２との比Ｑ１／Ｑ２の方が大きく、マット系の印刷シートと判別されると（Ｓ１０２）、正反射受光部の受光量Ｑ２と厚さ判別閾値Ｄとが比較される（Ｓ１０３）。比較した結果、厚さ判別閾値Ｄより受光量Ｑ２の方が大きい場合には、厚手のマット系印刷シートと判別され、厚さ判別閾値Ｄより受光量Ｑ２の方が小さい場合には、薄手のマット系印刷シートと判別される（Ｓ１０４）。
【００５１】
厚手のマット系印刷シートと判別されると、拡散反射受光部４１の受光量Ｑ１と、正反射受光部４０の受光量Ｑ２との比Ｑ１／Ｑ２と、第２種類判別閾値Ａとを比較する（Ｓ１０５）。このとき、前記種類判別閾値Ａより受光量の比Ｑ１／Ｑ２の方が大きい場合には、厚手のマット紙であると判別され（Ｓ１０７）、種類判別閾値Ａより受光量の比Ｑ１／Ｑ２の方が小さい場合には、厚手の普通紙と判別される（Ｓ１０８）。
【００５２】
一方、薄手のマット系印刷シートと判別された場合には、発光部３８の発光量の調整を行う（Ｓ１０９）。これは、薄手の印刷シートの場合には、判別すべき印刷シートと反射型光学センサ２９との距離が広くなることにより光量が低減しＳＮ比が低下し、マット紙と普通紙との光量差が不明確になることを防止するためである。このため、厚手のマット系印刷シートの正反射光量と同等の正反射光量が得られるように、正反射受光部４０の出力に基づいて、発光制御部６４により発光部３８の出力を調整する。
【００５３】
発光部３８の出力を調整した後に、前記受光量の比Ｑ１／Ｑ２と、第２種類判別閾値Ａとを比較する（Ｓ１１０）。このとき、前記種類判別閾値Ａより受光量の比Ｑ１／Ｑ２の方が大きい場合には、薄手のマット紙であると判別され（Ｓ１１２）、種類判別閾値Ａより受光量の比Ｑ１／Ｑ２の方が小さい場合には、薄手の普通紙と判別される（Ｓ１１３）。
【００５４】
本実施形態の印刷シート判別装置を備えたカラープリンタＣＰによれば、印刷シート判別装置発光部３８と、正反射受光部４０と、拡散反射受光部４１との簡単な構成によって、マット紙、普通紙、光沢紙、ＯＨＰ用シートの種類を判別するだけでなく、厚さをも判別することができる。これにより、印刷シートの種類や厚さに合わせた印刷をすることができ、より高画質な画像を印刷することが可能となる。
【００５５】
本実施形態では、印刷シートの判別位置を一カ所として説明したが、キャリッジ２８を移動したり、印刷用ロール紙３２を搬送したりすることにより、判別箇所を変更し、複数箇所により判別を行うと判別精度を向上させることが可能となる。
【００５６】
＝＝＝＝判別結果に基づく印刷装置の動作＝＝＝
次に、図８を参照して、本実施の形態に係るカラープリンタＣＰによる使用者への報知方法の一例について説明する。図８は使用者が設定した印刷シートとしての用紙の種類と、前記判別手段によって判別後のカラープリンタＣＰの動作を示すフローチャートである。
【００５７】
カラープリンタＣＰによる印刷は、このカラープリンタＣＰに接続されたコンピュータ９０からの印刷指令信号により実行される（Ｓ２０１）。このとき、コンピュータ９０からは、印刷指令信号とともに、高精細モード、きれいモード、早いモードなど使用者が設定した印刷モード、及び、マット紙、普通紙、光沢紙、ＯＨＰ用シート及びそれらの厚さ、サイズ等の印刷すべき用紙の種類を示す情報と、印刷すべき画像等を前記印刷モード及び用紙の種類に適したデータに変換した印刷データとがカラープリンタＣＰに送信される。
【００５８】
上記印刷指令信号等を受信したカラープリンタＣＰは、装填されている用紙を給紙し、前記印刷シートの判別手段によって、給紙した用紙の種類を判別する（Ｓ２０２）。
判別した用紙の種類と、前記印刷指令信号とともに受信し、使用者が設定した用紙の種類とが一致した場合には（Ｓ２０３）、所定の印刷動作を実行する（Ｓ２０７）。
判別した用紙の種類と、使用者が設定した用紙の種類とが相違した場合には、前記制御回路５０により、この事象を示す信号が、カラープリンタＣＰが接続されているコンピュータ９０に送出され、コンピュータ９０のディスプレイ９０ａにその事象を報知する警告画面が表示される（Ｓ２０４）。
【００５９】
図９は、前記警告画面の一例を示している。この警告画面には、例えば、カラープリンタＣＰに装填されている用紙の種類（Ａ５  光沢紙）、設定された用紙の種類（Ａ４  普通紙）、及び、それらが相違する旨を示す警告メッセージとともに、この事象に対する対処方法として、３つの選択肢が、一つの画面上に一度に表示される。この選択肢としては、例えば、カラープリンタＣＰに装填する用紙を交換する旨を示す「用紙差し替え」、判別した印刷シートに適した印刷を実行する旨を示す「装填されている用紙に合わせて印刷データを変更」、印刷を中止する旨を示す「印刷中止」、など挙げられる。
【００６０】
また、これら選択肢は、ラジオボタンとして画面上にレイアウトされており、使用者は希望する対処方法を、ディスプレイ９０ａに表示されたラジオボタンをマウス等により操作することにより所望の対処方法を選択することが可能である。
【００６１】
使用者により、「用紙差し替え」が選択されると（Ｓ２０５）、給紙されていた用紙が排紙され（Ｓ２０９）、ディスプレイ９０ａに用紙の交換を促す報知画面が表示される（Ｓ２１０）。図１０は報知画面の一例を示している。この報知画面には、例えば、カラープリンタに装填すべき用紙の種類、すなわち、設定された用紙の種類（Ａ４  普通紙）と、装填すべき用紙の装填を促すメッセージとが表示されている。また、この報知画面には、使用者が用紙を交換した後に、用紙を交換した事象を示す信号をプリンタ送出するための、例えば「ＯＫ」等のラジオボタンがレイアウトされている。このラジオボタンが操作されると、交換された用紙が給紙されて前記判別処理が実行され（Ｓ２０２）、前述した印刷処理が実行される（Ｓ２０３〜Ｓ２１０）。本実施形態では、用紙の交換をラジオボタンにより入力する例を示したが、用紙の装填や抜き取りを検知可能な用紙検知センサなどの信号を用いて、交換された用紙の判別処理を実行しても構わない。
【００６２】
また、使用者により、「装填されている用紙に合わせて印刷データを変更」が選択されると（Ｓ２０５）、前記印刷指令信号とともに受信した印刷データを、判別した印刷シートに適した印刷処理を実行するための印刷データに変換し（Ｓ２０６）、印刷処理を実行する（Ｓ２０７）。この印刷データの変換は、例えば、印刷シートの種類に応じたルックアップテーブルを選択するものであったり、インターレース方式の印刷を実行するために行われる所定のアルゴリズムによる周知のラスタライズ処理などを示す。
【００６３】
使用者により、「印刷中止」が選択されると（Ｓ２０５）、制御回路５０により紙送りモータ３１を駆動して前記判別した用紙を排紙する（Ｓ２０８）。
【００６４】
本実施形態では、報知手段をカラープリンタＣＰが接続されているコンピュータ９０のディスプレイ９０ａに表示された画面情報としたが、カラープリンタＣＰの表示ディスプレイ１１３にタッチパネル等の入力手段を備えた構成としても構わない。
【００６５】
さらに、印刷モードや印刷シートの製造メーカー名と、この印刷モード等に適した推奨印刷シートの判別データとを対応付けてカラープリンタＣＰ内のメモリに予め記憶しておくと、カラープリンタＣＰにセットされた印刷シートが設定された印刷モードに適合しない場合や、印刷シートの製造メーカーが相違する場合にも、その事象を使用者に報知することが可能となる。
【００６６】
＝＝＝その他の実施の形態＝＝＝
以上、一実施の形態に基づき本発明に係る印刷装置等を説明してきたが、上記した発明の実施の形態は、本発明の理解を容易にするためのものであり、本発明を限定するものではない。本発明は、その趣旨を逸脱することなく、変更、改良され得ると共に、本発明にはその等価物が含まれることはもちろんである。
【００６７】
前述の実施形態に係るプリンタ本体と該プリンタ本体に取り外し可能に装着された被印刷体ユニットを有するプリンタ、コンピュータ本体、ＣＲＴ等の表示装置、マウスやキーボード等の入力装置、フレキシブルドライブ装置、及び、ＣＤ−ＲＯＭドライブ装置を備えたコンピュータシステムも実現可能であり、このようにして実現されたコンピュータシステムは、システム全体として従来システムよりも優れたシステムとなる。
【００６８】
前述の実施形態に係るプリンタ本体と該プリンタ本体に取り外し可能に装着された被印刷体ユニットを有するプリンタに、コンピュータ本体、表示装置、入力装置、フレキシブルディスクドライブ装置、及び、ＣＤ−ＲＯＭドライブ装置がそれぞれ有する機能又は機構の一部を持たせてもよい。例えば、プリンタが、画像処理を行う画像処理部、各種の表示を行う表示部、及び、デジタルカメラ等により撮影された画像データを記録した記録メディアを着脱するための記録メディア着脱部を有する構成としてもよい。
【００６９】
【発明の効果】
本発明によれば、使用者が設定した印刷シートと、印刷装置にセットされた印刷シートとの不一致による印刷シート、インク、及び時間の浪費を防止する印刷装置、この印刷装置に印刷させるコンピュータプログラム、この印刷装置を有するコンピュータシステム、及び、印刷方法を実現することが可能となる。
【図面の簡単な説明】
【図１】本実施の形態に係るカラープリンタＣＰの概略構成を示した図である。
【図２】本実施の形態に係るカラープリンタＣＰの内部構成を示した図である。
【図３】本実施の形態に係るカラープリンタＣＰの制御回路５０の内部構成を示すブロック図である。
【図４】反射型光学センサ２９の一例を説明するための模式図である。
【図５】反射光の印刷シートによる相違を示す概念図である。
【図６】反射型光学センサ２９の受光量の違いを印刷シートの種類別に示した図である。
【図７】印刷シートの判別装置による判別方法を示すフローチャートである。
【図８】使用者が設定した印刷シートの種類と、前記判別手段によって判別後のカラープリンタＣＰの動作を示すフローチャートである。
【図９】コンピュータ９０による警告表示の一例を示す概念図である。
【図１０】コンピュータ９０による報知表示の一例を示す概念図である。
【符号の説明】
１０    プリンタ本体                １１    操作パネル
１１１  操作ボタン                  １１２  表示ランプ
１１３  表示ディスプレイ            １２    排紙部
１２１  排紙トレー                  １３    給紙部
１３１  給紙ホルダ                  １８    カートリッジ装着部
２０、２１  ロール紙ユニットホルダ
２０１  接点                        ２０２  送受信部
２４    ロール紙ユニット            ２８    キャリッジ
２９    反射型光学センサ            ３０    キャリッジモータ
３１    紙送りモータ                ３２    印刷用ロール紙
３３    記憶素子                    ３８    発光部
４０    正反射受光部                ４１    拡散反射受光部
４２    プラテン                    ４４    摺動軸
４５    駆動ベルト                  ４６    プーリ
４７    エンコーダ                  ４８    ギヤ機構
５０    制御回路                    ５１    バッファメモリ
５２    イメージバッファ            ５４    システムコントローラ
５６    メインメモリ                ５８    ＥＥＰＲＯＭ
６１    主走査駆動回路              ６２    副走査駆動部
６３    ヘッド駆動回路              ６４    発光制御部
６５    反射型光学センサ制御回路    ６６    電気信号測定部
７０    ブザー                      ７２    報知手段制御回路
７４    紙検知センサ制御回路        ７６    紙検知センサ
９０    コンピュータ                ９０ａ  ディスプレイ
ＣＰ    カラープリンタ
ＩＮＣ１、ＩＮＣ２    インクカートリッジ
ＩＨ１、ＩＨ２、ＩＨ３、ＩＨ４    印刷ヘッド
【図１】
0003937872.tif 000002
【図２】
0003937872.tif 000003
【図３】
0003937872.tif 000004
【図４】
0003937872.tif 000005
【図５】
0003937872.tif 000006
【図６】
0003937872.tif 000007
【図７】
0003937872.tif 000008
【図８】
0003937872.tif 000009
【図９】
0003937872.tif 000010
【図１０】
0003937872.tif 000011